(57)【特許請求の範囲】
【請求項１】
幅方向に離間して配置され、それぞれ車輪が設けられた左側本体及び右側本体、及び前記左側本体と前記右側本体とに架け渡された着座部、を有した車椅子に、物品を支持可能な支柱部、及び床面上を走行可能なキャスタを有した機器を連結するための車椅子用アタッチメントであって、
前記車椅子の後部に設けられ、前記支柱部を前記車椅子に対して前後方向に相対的に傾動可能に保持する保持手段を備え、
該保持手段は、
前記支柱部の前部を支持可能な前部保持部と、
前記支柱部の後部を支持可能な後部保持部と、
前記後部保持部を前記前部保持部に近接させる方向に向かって付勢する付勢部と、を有し、
前記前部保持部と前記後部保持部との離間距離は、前記支柱部の前記前後方向の長さよりも長いことを特徴とする車椅子用アタッチメント。
【請求項２】
前記保持手段は、
前後方向を向く軸線に沿って配置される軸部を有し、
該軸部は、前記前部保持部に対して前記後部保持部を前記軸線回りに回動可能に連結することを特徴とする請求項１に記載の車椅子用アタッチメント。
【請求項３】
前記前部保持部の後面又は前記後部保持部の前面には、弾性変形可能な弾性体が設けられていることを特徴とする請求項１または２に記載の車椅子用アタッチメント。
【請求項４】
前記車椅子は、前記左側本体及び前記右側本体からそれぞれ後方に向かって延び把持可能な把持部を有し、
前記保持手段は、前記着座部の後面と一対の前記把持部とにより囲まれた後部空間内に、前記支柱部を配置するように、該支柱部を保持することを特徴とする請求項１から３のいずれか一項に記載の車椅子用アタッチメント。
【請求項５】
請求項１から４のいずれか一項に記載の車椅子用アタッチメントと、
幅方向に離間して配置され、それぞれ車輪が設けられた左側本体及び右側本体、及び前記左側本体と前記右側本体とに架け渡された着座部、を有した車椅子と、
前記車椅子用アタッチメントにより前記車椅子に連結される機器と、を備えることを特徴とする医療設備システム。
【発明の詳細な説明】
【技術分野】
【０００１】
本発明は、車椅子用アタッチメント及び医療設備システムに関するものである。
【背景技術】
【０００２】
従来から、病院、介護施設や自宅等においては、傷病者に、輸液を注射針で投与する点滴治療が行われることがある。この場合には、一般的に、床面から上方に延びる支柱と、支柱に設けられ輸液が充てんされた輸液パックを係合可能な係合部とを有する点滴スタンドに、輸液パックを係合して点滴治療が行われる。
【０００３】
このような点滴スタンドの下部に、キャスタが設けられているものもある（下記特許文献１，２参照）。これにより、点滴スタンドは移動可能とされるため、傷病者は点滴をしながら移動することができるとともに、点滴スタンドの不使用時に点滴スタンドを収納場所等に移動させることができる。
【０００４】
一方、傷病者を着座させたまま移動させる移動手段として車椅子が広く利用されている。また、車椅子に着座する患者に点滴治療を行うために、車椅子の前部に点滴スタンドを連結する連結部材が知られている（下記特許文献３，４参照）。
【０００５】
ところが、上記の特許文献３，４に記載の連結部材により車椅子と点滴スタンドとを連結すると、点滴スタンドが車椅子の前方に配置されるため、看護師等が車椅子に着座する傷病者に対して前方から処置をする際に、点滴スタンドが邪魔になり処置の支障になる可能性があった。
【０００６】
そこで、車椅子の後部に、点滴スタンドが固定されたものが提案されている。例えば、車椅子の後部のフレームの下部に、点滴スタンドの支柱が螺子等により固定されたもの（下記特許文献５参照）や、車椅子の後部のフレームの下部に設けられた支持筒に点滴スタンドの支柱の下端が挿入され固着されたもの（下記特許文献６参照）がある。
【先行技術文献】
【特許文献】
【０００７】
【特許文献１】特開２０１２−１０７１８号公報
【特許文献２】特開２０１３−１７６５３号公報
【特許文献３】特開２０１３−３４６３０号公報
【特許文献４】特許第５０４５８５４号公報
【特許文献５】特開２０１０−２５３１２１号公報
【特許文献６】特開２０１０−２２７３８９号公報
【発明の概要】
【発明が解決しようとする課題】
【０００８】
しかしながら、病院・介護施設・自宅等においてはドアの敷居等の床段差がある場合があり、上記の特許文献５,６に記載の車椅子の後部に点滴スタンド等の機器を固定した状態で、車椅子がこの段差を乗り上げる際には、機器自体が後傾姿勢になり、安定性が悪くなってしまうという問題点がある。
【０００９】
本発明は、上記事情に鑑みてなされたものであり、車椅子の後部に機器を連結しつつ、車椅子の走行時の安定性を確保することができる車椅子用アタッチメント及び医療設備システムを提供するものである。
【課題を解決するための手段】
【００１０】
上記目的を達成するために、本発明は以下の手段を採用している。
すなわち、本発明に係る車椅子用アタッチメントは、幅方向に離間して配置され、それぞれ車輪が設けられた左側本体及び右側本体、及び前記左側本体と前記右側本体とに架け渡された着座部、を有した車椅子に、物品を支持可能な支柱部、及び床面上を走行可能なキャスタを有した機器を連結するための車椅子用アタッチメントであって、前記車椅子の後部に設けられ、前記支柱部を前記車椅子に対して前後方向に相対的に傾動可能に保持する保持手段を備え、該保持手段は、前記支柱部の前部を支持可能な前部保持部と、前記支柱部の後部を支持可能な後部保持部と、前記後部保持部を前記前部保持部に近接させる方向に向かって付勢する付勢部と、を有し、前記前部保持部と前記後部保持部との離間距離は、前記支柱部の前記前後方向の長さよりも長いことを特徴とする。
【００１１】
このように構成された車椅子用アタッチメントでは、車椅子の後部に、支柱部及びキャスタを有した機器を連結することができる。
また、車椅子用アタッチメントの保持手段では、支柱部を車椅子に対して前後方向に相対的に傾動可能に保持する。よって、機器よりも前方に配置された車椅子が、段差を乗り越えたり、乗り下りたり、坂道を上り出したり、下り出したりする際には、保持手段が車椅子と支柱部との前後方向の傾斜角度を異ならせる。したがって、車椅子及び機器がそれぞれ接している地面の傾斜に対応した傾斜角度で傾斜しつつ前進することができるため、車椅子の走行時の安定性を確保することができる。
また、前部保持部と後部保持部との離間距離は、支柱部の前後方向の長さよりも長い。よって、支柱部と前部保持部又は後部保持部との間に形成された空間部において支柱部を前後方向に移動することで、支柱部を前後方向に確実に相対移動させることができる。
また、付勢部は、後部保持部を前部保持部に近接させる方向に向かって付勢するため、前部保持部及び後部保持部で機器の支柱部を保持する状態を維持することができる。
また、前部保持部と後部保持部との間に機器の支柱部を配置した後、後部保持部に回動させる力を加えなくても、付勢部の付勢力により、後部保持部は前部保持部に近接する位置に戻る。
【００１４】
また、本発明に係る車椅子用アタッチメントは、前記保持手段は、前後方向を向く軸線に沿って配置される軸部を有し、該軸部は、前記前部保持部に対して前記後部保持部を前記軸線回りに回動可能に連結してもよい。
【００１５】
このように構成された車椅子用アタッチメントでは、後部保持部は、前部保持部に対して前後方向を向く軸線回りに回動可能に連結されている。よって、後部保持部を軸線回りに回動して、後部保持部を前部保持部から離間させて、前部保持部と後部保持部との間に機器の支柱部を配置することができる。その後、後部保持部を軸線回りに上記とは反対方向に回動して、後部保持部を前部保持部に近接させて、前部保持部及び後部保持部で機器の支柱部を保持させる。よって、前部保持部及び後部保持部による機器の支柱部の保持を容易に行うことができる。
【００１８】
また、本発明に係る車椅子用アタッチメントは、前記前部保持部の後面又は前記後部保持部の前面には、弾性変形可能な弾性体が設けられていてもよい。
【００１９】
このように構成された車椅子用アタッチメントでは、保持手段と機器の支柱部との前後方向の相対移動の際の衝撃を、前部保持部の後面又は後部保持部の前面に設けられた弾性体が吸収することができる。
【００２０】
また、本発明に係る車椅子用アタッチメントは、前記車椅子は、前記左側本体及び前記右側本体からそれぞれ後方に向かって延び把持可能な把持部を有し、前記保持手段は、前記着座部の後面と一対の前記把持部とにより囲まれた後部空間内に、前記支柱部を配置するように、該支柱部を保持してもよい。
【００２１】
このように構成された車椅子用アタッチメントでは、機器の支柱部は、車椅子の着座部の後面と幅方向に離間した一対の把持部とにより形成された囲まれた後部空間内に配置されている。これにより、車椅子の把持部の後方には機器の支柱部は配置されていないため、車椅子の把持部の後方を機器の配置されていない作業空間として確保することができる。よって、看護師等は当該作業空間から車椅子を好適に操作することができるため、車椅子の操作性を良好とすることができる。
【００２２】
また、本発明に係る医療設備システムは、上記のいずれか一項に記載の車椅子用アタッチメントと、幅方向に離間して配置され、それぞれ車輪が設けられた左側本体及び右側本体、及び前記左側本体と前記右側本体とに架け渡された着座部、を有した車椅子と、前記車椅子用アタッチメントにより前記車椅子に連結される機器と、を備えることを特徴とする。
【００２３】
このように構成された医療設備システムでは、車椅子の後部に物品を支持可能な支柱部を有する機器を連結することができる。
また、車椅子用アタッチメントの保持手段では、支柱部の前部を支持する前部保持部及び支柱部の後部を支持する後部保持部は、支柱部を少なくとも前後方向に相対移動可能に保持する。よって、機器よりも前方に配置された車椅子が、段差を乗り越えたり、乗り下りたり、坂道を上り出したり、下り出したりする際には、保持手段が車椅子と機器とを互いに前後方向に相対移動させる。よって、車椅子及び機器が単独に動くことができるため、車椅子の走行時の安定性を確保することができる。
【発明の効果】
【００２４】
本発明に係る車椅子用アタッチメント及び医療設備システムによれば、車椅子の後部に機器を連結しつつ、車椅子の走行時の安定性を確保することができる。
【図面の簡単な説明】
【００２５】
【図１】本発明の一実施形態に係る医療設備システムを後方から見た斜視図である。
【図２】本発明の一実施形態に係る医療設備システムを構成を示す平面図である。
【図３】本発明の一実施形態に係る医療設備システムの保持手段を示す後面図である。
【図４】本発明の一実施形態に係る医療設備システムの保持手段を示す平面図である。
【図５】本発明の一実施形態に係る医療設備システムの保持手段を後方から見た斜視図である。
【図６】図３のＡ−Ａ断面図である。
【図７】本発明の一実施形態に係る医療設備システムの保持手段の分解斜視図である。
【図８】本発明の一実施形態に係る医療設備システムの保持手段の前部保持部の後面図である。
【図９】本発明の一実施形態に係る医療設備システムの保持手段の後部保持部の前面図である。
【図１０】本発明の一実施形態に係る医療設備システムの車椅子が床段差を乗り上げる際において、保持手段の動作を示すための側面図である。
【図１１】本発明の一実施形態の変形例に係る医療設備システムの保持手段を示す部分的な平面図である。
【発明を実施するための形態】
【００２６】
以下、本発明の実施形態に係る医療設備システムについて説明する。
図１は、本発明の一実施形態に係る医療設備システムを後方から見た斜視図である。
図１に示すように、本実施形態の医療設備システム１は、患者が着座可能な車椅子２と、点滴液の充填された輸液パック（物品）Ｕを吊り下げて移動可能な点滴スタンド（機器）３と、車椅子２と点滴スタンド３とを連結するアタッチメント（車椅子用アタッチメント）１０００と、を備えている。
なお、以下の説明では、患者が車椅子２に対して乗り降りする側を前方とし、車椅子２に対して点滴スタンド３が設けられている側と後方とする。また、前方と後方とを結ぶ前後方向と直交し、車椅子２の幅方向に延びる方向を左右方向とする。
【００２７】
（車椅子）
車椅子２は、前側に設けられ床面上を走行可能な前車輪（車輪）２１と、後側に設けられ床面上を走行可能な後車輪（車輪）２２と、これら前車輪２１及び後車輪２２が設けられ幅方向に離間して配置されたフレーム３０と、を有している。
【００２８】
フレーム３０は、前後方向に延びるとともに車椅子２の幅方向に離間して配置された一対のティッピングレバー３１と、ティッピングレバー３１の後側から上方に向かって延びる起立フレーム部３２と、起立フレーム部３２の上端から後方に向かって屈曲したハンドグリップ３３と、を有している。
【００２９】
図２は、医療設備システム１の構成を示す平面図である。
図２に示すように、ハンドグリップ３３は、平面視において、後車輪２２，２２の左右方向内側、且つティッピングレバー３１の直上に配置されている。
【００３０】
図１，２に示すように、起立フレーム部３２及びハンドグリップ３３は、一体に形成されている。ハンドグリップ３３には、樹脂等で形成され把持可能なグリップ部（把持部）３３Ａが設けられている。
【００３１】
ティッピングレバー３１の前部には、下方に向かって延びる連結杆３１Ｘが設けられている。この連結杆３１Ｘは、ティッピングレバー３１と前車輪２１とを連結している。
【００３２】
起立フレーム部３２の下部には、幅方向外側に向かって延びる連結杆３２Ｘが設けられている。この連結杆３２Ｘは、起立フレーム部３２と後車輪２２とを連結している。
【００３３】
さらに、フレーム３０は、起立フレーム部３２の上下方向途中部分から前方に向かって延びるとともに車椅子２の幅方向に離間して配置された一対の座フレーム部３４と、各座フレーム部３４の前端から下方に向かって延びる脚フレーム部３５と、を有している。脚フレーム部３５の下部は、ティッピングレバー３１の前端に連結されている。
【００３４】
さらに、フレーム３０は、脚フレーム部３５の下端から前方に向かって延びる延出フレーム部３６を有している。フレーム３０の座フレーム部３４、脚フレーム部３５及び延出フレーム部３６は、一体に形成されている。
【００３５】
また、一対の起立フレーム部３２間には、シート状の背面シート３２Ａが設けられている。一対の座フレーム部３４間には、シート状の座シート３４Ａが設けられている。延出フレーム部３６には、左右方向に対向する他の延出フレーム部３６に向かって延びる板状のフットレスト３６Ａが設けられている。
これにより、背面シート３２Ａが座シート３４Ａに着座する患者の背を支持するとともに、フットレスト３６Ａは患者の足の裏を支持する。
これら背面シート３２Ａと、座シート３４Ａとは、着座部を構成している。
【００３６】
さらに、フレーム３０は、起立フレーム部３２の上下方向途中から前方に向かって延びるとともに車椅子２の幅方向に離間して配置された一対のアームレスト３７と、各アームレスト３７前端から下方に向かって延びる前フレーム部３８と、を有している。アームレスト３７は、座フレーム部３４よりも上方に配置されている。前フレーム部３８の上下方向途中部は、座フレーム部３４に連結されている。また、前フレーム部３８の下端は、ティッピングレバー３１の前部に連結されている。アームレスト３７及び前フレーム部３８は、一体に形成されている。
【００３７】
上記のフレーム３０において、幅方向一方側のティッピングレバー３１と、幅方向他方側の座フレーム部３４とは第一リンク杆４１にて連結されている。また、幅方向他方側のティッピングレバー３１と、幅方向一方側の座フレーム部３４とは第二リンク杆４２にて連結されている。これら第一リンク杆４１と第二リンク杆４２とは、長さ方向中央で、前後方向に沿うピン４３により、ピン４３を中心として回動可能に連結されている。
【００３８】
上記に示すフレーム３０において、左側に配置されたティッピングレバー３１と、起立フレーム部３２と、座フレーム部３４と、脚フレーム部３５と、延出フレーム部３６と、アームレスト３７と、前フレーム部３８とが、左側本体を構成している。同様に、右側に配置されたティッピングレバー３１と、起立フレーム部３２と、座フレーム部３４と、脚フレーム部３５と、延出フレーム部３６と、アームレスト３７と、前フレーム部３８とが、右側本体を構成している。
【００３９】
（点滴スタンド）
点滴スタンド３は、床面上を走行可能な脚ブロック９０と、脚ブロック９０に支持されて上方に延びる支柱部９４と、支柱部９４の上端に設けられ、輸液パックＵを吊り下げ支持する吊り下げ具９９と、を有している。
【００４０】
脚ブロック９０は、支柱部９４の下端を支持するボス部９０Ａの外周側から放射線状に延びる５本の脚フレーム９１を有している。各脚フレーム９１の先端には、キャスタ９２が取り付けられている。これにより、脚ブロック９０は、キャスタ９２を介して床面上を移動可能とされている。
【００４１】
支柱部９４は、下端が脚ブロック９０に取り付けられた中空状のアウタ支柱９４Ａと、上端に輸液吊り下げ具９９が取り付けられた中空状のインナ支柱９４Ｂと、を有している。インナ支柱９４Ｂの下部は、アウタ支柱９４Ａの上部に摺動自在に嵌入されている。
【００４２】
アウタ支柱９４Ａには、荷掛けフットアタッチメント９６及びハンドルアタッチメント９７が昇降調整可能に設けられている。
【００４３】
（アタッチメント）
図３は、医療設備システム１の保持手段を示す後面図である。図４は、医療設備システム１の保持手段を示す平面図である。図５は、医療設備システム１の保持手段を後方から見た斜視図である。
図３から図５に示すように、アタッチメント１０００は、車椅子２のティッピングレバー３１に取り付けられる横取付体１１００と、起立フレーム部３２に取り付けられる縦取付体１２００と、横取付体１１００から延びる連結パイプ１３００と、連結パイプ１３００の先端に設けられた点滴スタンドクランプ（保持手段）１４００と、点滴スタンド３をガイドするガイドフレーム１５００と、を有している。
【００４４】
（横取付体）
横取付体１１００は、連結パイプ１３００が設けられる基部１１１０と、基部１１１０から側方に延びティッピングレバー３１の上部に配置される延出壁部１１２０と、延出壁部１１２０の端部から下方に延びティッピングレバー３１の側面に沿って配置される下向き壁部１１３０と、を有している。
【００４５】
基部１１１０の側面１１１０Ａと下向き壁部１１３０との間は、Ｖ字状に形成された押さえプレート１１４０が配置されている。押さえプレート１１４０は、延出壁部１１２０の下方に配置されている。
【００４６】
また、基部１１１０には、上下方向に取付孔（不図示）が形成されている。この取付孔から挿通された螺子１１１０Ｙは押さえプレート１１４０に形成された貫通孔（不図示）に挿通されて、押さえプレート１１４０の下部に設けられた雌ネジ部１１４０Ｍに螺合されている。これにより、押さえプレート１１４０は延出壁部１１２０側に引き寄せられて、ティッピングレバー３１は基部１１１０の側面１１１０Ａと、延出壁部１１２０と、下向き壁部１１３０と、押さえプレート１１４０とにより挟持されている。このようにして、アタッチメント１０００の横取付体１１００は、ティッピングレバー３１に取り付けられている。
【００４７】
（縦取付体）
縦取付体１２００は、起立フレーム部３２の後側に配置される後プレート部１２００Ａと、起立フレーム部３２の前側に配置される前プレート部１２００Ｂと、を有している。
【００４８】
後プレート部１２００Ａは、横取付体１１００の延出壁部１１２０の下面から前方に向かうにしたがって次第に上方に向かうように延びる傾斜壁部１２１０と、傾斜壁部１２１０の左右両端からそれぞれ前方に延び起立フレーム部３２の側面に沿って配置される前向き壁部１２２０と、一方の前向き壁部１２２０の端部から側方に延びる後取付壁部１２３０と、を有している。後取付壁部１２３０には、前後方向に貫通する取付孔１２３０Ａが形成されている。
【００４９】
前プレート部１２００Ｂは、他方の前向き壁部１２２０から対向する（一方の）前向き壁部１２２０側に向かって延びる折曲壁部１２２０Ａと、折曲壁部１２２０Ａの端部から前方に向かって延びる側壁部１２２０Ｂと、を有している。
【００５０】
さらに、前プレート部１２００Ｂは、側壁部１２２０Ｂの前端から一方の前向き壁部１２２０側に向かうにしたがって次第に前方に向かうように形成された第一折曲壁部１２４０と、第一折曲壁部１２４０の端部から一方の前向き壁部１２２０側に向かうにしたがって次第に後方に向かうように形成された第二折曲壁部１２５０と、を有している。換言すると、第一折曲壁部１２４０と第二折曲壁部１２５０とにより、平面視で逆Ｖ字状に形成されている。
【００５１】
さらに、前プレート部１２００Ｂは、第二折曲壁部１２５０の端部から側方に延びる前取付壁部１２６０を有している。前取付壁部１２６０には、前後方向に貫通する取付孔１２６０Ａが形成されている。
【００５２】
後取付壁部１２３０の取付孔１２３０Ａから挿通されたボルト１２３０Ｘは、前取付壁部１２６０の取付孔１２６０Ａに挿通されナット１２６０Ｚに螺合されている。これにより、後プレート部１２００Ａと前プレート部１２００Ｂとは互いに引き寄せられて、起立フレーム部３２は後プレート部１２００Ａと前プレート部１２００Ｂとにより挟持される。このようにして、アタッチメント１０００の縦取付体１２００は、起立フレーム部３２に取り付けられている。
【００５３】
横取付体１１００の基部１１１０には、延出壁部１１２０と反対側に向かって延び前後方向に離間して配置された一対の軸支持壁部１１１０Ｃ，１１１０Ｃが設けられている。これら軸支持壁部１１１０Ｃ，１１１０Ｃの下部どうしは、連結壁部１１１０Ｒにより連結されている。これら軸支持壁部１１１０Ｃ，１１１０Ｃ間には、連結パイプ１３００の一端１３１０Ａが配置されている。
【００５４】
軸支持壁部１１１０Ｃには、前後方向に貫通する取付孔１１１０Ｄが形成されている。連結パイプ１３００の下部には、前後方向に貫通孔（不図示）が形成されている。一方の取付孔１１１０Ｄから挿通された前後方向を向く軸部１１１０Ｊが連結パイプ１３００の貫通孔に挿通され、他方の取付孔１１１０Ｄに螺合されている。これより、連結パイプ１３００は、前後方向を向く軸部１１１０Ｊを中心に回動可能として、軸支持壁部１１１０Ｃ，１１１０Ｃに取り付けられている。
【００５５】
（連結パイプ）
連結パイプ１３００は、一端１３１０Ａが軸部１１１０Ｊに回動可能に支持された第一パイプ部１３１０と、第一パイプ部１３１０の他端から湾曲した湾曲パイプ部１３２０と、湾曲パイプ部１３２０から第一パイプ部１３１０と直交する方向に延びる第二パイプ部１３３０と、を有している。第一パイプ部１３１０、湾曲パイプ部１３２０及び第二パイプ部１３３０は、一体に形成されている。
【００５６】
図３に示すように、第一パイプ部１３１０の一端１３１０Ａには、湾曲パイプ部１３２０から離間する方向に付勢する付勢部１３１０Ｆが設けられている。一端１３１０Ａには、外側（湾曲パイプ部１３２０から離間する側）に向かって突出する突出部１３１０Ｘが設けられている。
【００５７】
上述のとおり、連結パイプ１３００は、軸部１１１０Ｊを中心として回動可能とされている。本実施形態では、図５に実線（図３に二点鎖線）で示すように、第二パイプ部１３３０が左側の後車輪２２（図２参照。以下同じ。）に沿うように配置された状態から、図５に二点鎖線（図３に実線）で示すように、第二パイプ部１３３０が左右の後車輪２２，２２の間に配置された状態にまで回動可能とされている。
【００５８】
図３に二点鎖線で示すように、第二パイプ部１３３０が左側の後車輪２２に沿うように配置された状態では、第一パイプ部１３１０の一端１３１０Ａに設けられた突出部１３１０Ｘは、横取付体１１００の連結壁部１１１０Ｒに当接している。このとき、付勢部１３１０Ｆにより外側（下方）に付勢された突出部１３１０Ｘは、連結壁部１１１０Ｒを押圧している。これにより、連結パイプ１３００において、第二パイプ部１３３０が左側の後車輪２２に沿った状態が維持される。
【００５９】
（点滴スタンドクランプ）
図６は、図３のＡ−Ａ断面図である。図７は、医療設備システム１の点滴スタンドクランプ１４００の分解斜視図である。図８は、医療設備システム１の点滴スタンドクランプ１４００の前部保持部の後面図である。図９は、医療設備システム１の点滴スタンドクランプ１４００の後部保持部の前面図である。
図６から図９に示すように、第二パイプ部１３３０（図５参照。以下同じ。）の端部には、点滴スタンドクランプ１４００が設けられている。点滴スタンドクランプ１４００は、第二パイプ部１３３０に設けられた前部クランプ金具１４１０と、前部クランプ金具１４１０に対して回動可能に設けられた後部クランプ金具１４２０と、を有している。
【００６０】
前部クランプ金具１４１０は、支柱部９４（図２参照。以下同じ。）の前部に沿って配置され、平面視において前方に向かって凹むように湾曲形状をなす前部湾曲壁部（前部保持部）１４１１を有している。
【００６１】
前部湾曲壁部１４１１の一方の側部には、側方に向かって突出する前部軸支持壁部１４１２が形成されている。
【００６２】
前部軸支持壁部１４１２には、前後方向に貫通する挿通孔１４１２Ｘが形成されている。挿通孔１４１２Ｘは、正面視円形状に形成されている。また、挿通孔１４１２Ｘの縁には、径方向外側に向かって凹む係合溝１４１２Ｙが一体として形成されている。
【００６３】
前部軸支持壁部１４１２において、挿通孔１４１２Ｘの外周側には前方に向かって凹む凹部１４１３が形成されている。
【００６４】
凹部１４１３は、正面視環状に設けられた内側凹部１４１３Ａと、内側凹部１４１３Ａの外側に連続して設けられて外側凹部１４１３Ｂとで形成されている。
【００６５】
外側凹部１４１３Ｂは、正面視Ｃ字状に形成されている。外側凹部１４１３Ｂの周方向一端側が凹部壁１４１３Ｐとされ、外側凹部１４１３Ｂの周方向他端側が凹部壁１４１３Ｑとされている。
【００６６】
前部湾曲壁部１４１１には、前後方向に貫通する取付孔１４１１Ｘが形成されている。
また、前部湾曲壁部１４１１の前部には、筒状に形成された筒状壁部１４１４が設けられている。筒状壁部１４１４の筒状孔１４１４Ｘと前部湾曲壁部１４１１の取付孔１４１１Ｘとは連通している。
【００６７】
筒状壁部１４１４の筒状孔１４１４Ｘ内には、第二パイプ部１３３０の端部が嵌合されている。前部湾曲壁部１４１１の取付孔１４１１Ｘから挿通されたネジ１４１１Ｚ（図４参照）が、筒状壁部１４１４に嵌合された第二パイプ部１３３０の端部に螺合されている。これにより、前部クランプ金具１４１０は、第二パイプ部１３３０の端部に取り付けられている。
【００６８】
前部湾曲壁部１４１１の他方の側部において、後面１４１１Ｂには、後方に向かって延出するとともに、先端部が前部湾曲壁部１４１１の一方の側部に向かって折曲された係合爪部１４１６が設けられている。係合爪部１４１６は、後述する後部クランプ金具１４２０と係合可能とされている。
【００６９】
後部クランプ金具１４２０は、支柱部９４の後部に沿って配置される後部支持壁部（後部保持部）１４２１を有している。
【００７０】
後部支持壁部１４２１の一方の側部には、側方に向かって突出する後部軸支持壁部１４２２が形成されている。
【００７１】
後部軸支持壁部１４２２には、前後方向に延びる軸線Ｘ（図７参照）に沿って配置される軸部１４３０が設けられている。
【００７２】
軸部１４３０の先端部１４３０Ｆの外周面には、径方向内側に向かって環状に凹む環状溝１４３１が形成されている。
【００７３】
後部軸支持壁部１４２２において、軸部１４３０の外縁には、後方に向かって凹み、管状に形成された環状凹部１４２３が形成されている。環状凹部１４２３には、周囲よりもさらに後方に向かって凹む係合溝１４２３Ｙが一体として形成されている。
【００７４】
後部軸支持壁部１４２２には、前方に向かって突出する突出壁部１４２４が形成されている。突出壁部１４２４は、正面視Ｃ字状に形成されている。突出壁部１４２４の周方向一端側が壁部１４２４Ｐとされ、突出壁部１４２４の周方向他端側が壁部１４２４Ｑとされている。
【００７５】
後部支持壁部１４２１の上部には、後方に向かって突出する操作壁部１４２１Ｓが設けられている。また、後部支持壁部１４２１の他方の側部の上部には、側方に向かって突出する係合壁部１４２１Ｔが形成されている。これら操作壁部１４２１Ｓ及び係合壁部１４２１Ｔは、一体に形成されている。
【００７６】
後部クランプ金具１４２０の軸部１４３０には、付勢部１４４０が設けられている。本実施形態では、付勢部１４４０は、コイルバネにより構成され、軸部１４３０に巻回されている。付勢部１４４０の一端部１４４０Ａ及び他端部１４４０Ｚは、それぞれ前後方向に延びる直線状に形成されている。
【００７７】
付勢部１４４０が巻回された後部クランプ金具１４２０の軸部１４３０は、前部クランプ金具１４１０の挿通孔１４１２Ｘに挿通されている。
【００７８】
付勢部１４４０の一端部１４４０Ａは、前部クランプ金具１４１０の係合溝１４１２Ｙに係合されている。また、付勢部１４４０の他端部１４４０Ｚは、後部クランプ金具１４２０の係合溝１４２３Ｙに係合されている。このようにして、付勢部１４４０は、前部クランプ金具１４１０及び後部クランプ金具１４２０に取り付けられている。
【００７９】
後部クランプ金具１４２０の軸部１４３０の先端部１４３０Ｆは、前部クランプ金具１４１０の挿通孔１４１２Ｘから前方に突出している。軸部１４３０の先端部１４３０Ｆに形成された環状溝１４３１には、リング部材１４５０が嵌め込まれている。これにより、軸部１４３０の軸線Ｘ方向の移動が規制されるため、軸部１４３０が挿通孔１４１２Ｘから抜け出ることがない。
【００８０】
本実施形態では、リング部材１４５０として、Ｅリングが採用されている。このリング部材１４５０には、内縁側から径方向外側に向かって凹む凹部１４５１が形成されている。これにより、リング部材１４５０を軸部１４３０の環状溝１４３１に嵌める際には、リング部材１４５０が広がりやすいため嵌めやすく、嵌った後はリング部材１４５０は元の形状に戻るため抜け落ちることがない。なお、リング部材の形状は適宜設定可能であり、凹部が形成されていなくてもよい。
【００８１】
この状態において、後部クランプ金具１４２０の係合壁部１４２１Ｔは、前部クランプ金具１４１０の係合爪部１４１６の上部に設けられている。また、付勢部１４４０により、前部クランプ金具１４１０及び後部クランプ金具１４２０には、係合爪部１４１６と係合壁部１４２１Ｔとを当接させる方向に力が作用している。これにより、係合爪部１４１６と係合壁部１４２１Ｔとは係合（当接）している。また、後部クランプ金具１４２０の後部軸支持壁部１４２２に設けられた突出壁部１４２４の壁部１４２４Ｑは、前部クランプ金具１４１０の前部軸支持壁部１４１２に設けられた凹部１４１３の凹部壁１４１３Ｑに当接している。
【００８２】
この点滴スタンドクランプ１４００において、看護師等の利用者が、後部クランプ金具１４２０の操作壁部１４２１Ｓを上方に引き上げると、軸部１４３０は挿通孔１４１２Ｘ内を回動するとともに、後部クランプ金具１４２０に設けられた突出壁部１４２４は前部クランプ金具１４１０に設けられた凹部１４１３内を凹部壁１４１３Ｐ側に向かって移動する。そして、後部クランプ金具１４２０の後部支持壁部１４２１は、軸線Ｘを中心に回動して上方に移動する。これにより、前部クランプ金具１４１０の係合爪部１４１６と後部クランプ金具１４２０の係合壁部１４２１Ｔとの係合が解除される。
【００８３】
そして、前部クランプ金具１４１０の後方が開放されるため、後方から支柱部９４を前部クランプ金具１４１０の後部に移動させる。前部クランプ金具１４１０の前部湾曲壁部１４１１と後部クランプ金具１４２０の後部支持壁部１４２１との間には、空間部ＳＡ（図４参照）が形成されている。この空間部ＳＡに、支柱部９４が配置される。そして、後部クランプ金具１４２０の操作壁部１４２１Ｓから手を放すと、付勢部１４４０の付勢力により、後部クランプ金具１４２０は下方に移動する。
【００８４】
この状態で、前部クランプ金具１４１０の前部湾曲壁部１４１１の後面１４１１Ｂと後部クランプ金具１４２０の後部支持壁部１４２１の前面１４２１Ｆとの離間距離は、支柱部９４の前後方向の長さよりも長い。よって、支柱部９４の前面は前部クランプ金具１４１０の前部湾曲壁部１４１１に当接するとともに、支柱部９４の後面と後部クランプ金具１４２０の後部支持壁部１４２１の前面１４２１Ｆとの間には空間部ＳＢが形成されつつ、支柱部９４は前部クランプ金具１４１０及び後部支持壁部１４２１により保持されている。
【００８５】
なお、後部クランプ金具１４２０に設けられた突出壁部１４２４の壁部１４２４Ｐが、前部クランプ金具１４１０に設けられた凹部１４１３の凹部壁１４１３Ｐに当接すると、後部クランプ金具１４２０の回動は停止し、それ以上回動することがない。
【００８６】
（ガイドフレーム）
次に、ガイドフレーム１５００は、横取付体１１００の基部１１１０の下部から後方に延びる前後向きガイド部１５１０と、前後向きガイド部１５１０の後端から下方に延びる後鉛直ガイド部１５２０と、を備えている。
【００８７】
さらに、ガイドフレーム１５００は、後鉛直ガイド部１５２０の下端から車椅子２の幅方向内側に向かうにしたがって次第に前方に向かうように延びる斜行ガイド部１５３０と、を備えている。
【００８８】
さらに、ガイドフレーム１５００は、斜行ガイド部１５３０の前端から上方に延びる前鉛直ガイド部１５４０と、前鉛直ガイド部１５４０の上端から前方に延びて先端が基部１１１０の下部に取り付けられた内側ガイド部１５５０と、を有している。
【００８９】
次に、上記のように構成された医療設備システム１における車椅子２と点滴スタンド３との連結方法について説明する。
【００９０】
まず、連結パイプ１３００を、図５に実線で示すように、第二パイプ部１３３０が左側の後車輪２２（図２参照）に沿うように配置された状態から、軸部１１１０Ｊを中心として回動させて、第二パイプ部１３３０が左右の後車輪２２，２２の間に配置された状態にまで回動させる。
【００９１】
そして、利用者は、点滴スタンド３の支柱部９４を持って、点滴スタンド３を車椅子２の後方から、左右一対の後車輪２２，２２間において前方に移動させる。
【００９２】
ここで、一の脚フレーム９１Ａの前面９１Ｚがガイドフレーム１５００の後鉛直ガイド部１５２０に当接する場合には、後鉛直ガイド部１５２０を中心として、脚フレーム９１Ａの隣に配置され前方を向く脚フレーム９１Ｂが前方に移動するように、点滴スタンド３を回動させる。本実施形態では、後鉛直ガイド部１５２０を中心として、点滴スタンド３を平面視反時計回りに回動させる。
【００９３】
すると、脚フレーム９１Ｂ及び脚フレーム９１Ｂに隣接する脚フレーム９１Ｃが一対の後車輪２２,２２間に配置されるように、点滴スタンド３を前方に移動させる。換言すると、支柱部９４を背面シート３２Ａの背面と左右のグリップ部３３Ａ，３３Ａとにより囲まれた後部空間Ｓ１（図２参照）内に配置する。そして、利用者が、点滴スタンドクランプ１４００の後部クランプ金具１４２０の操作壁部１４２１Ｓを上方に引き上げて回動させ、前部クランプ金具１４１０の後方から点滴スタンド３の支柱部９４を前部クランプ金具１４１０の後部に移動させる。そして、後部クランプ金具１４２０の操作壁部１４２１Ｓから手を放して、後部クランプ金具１４２０を下方に回動させる。このようにして、支柱部９４は前部クランプ金具１４１０及び後部支持壁部１４２１により保持され、点滴スタンド３はアタッチメント１０００を介して車椅子２に連結される。
【００９４】
この状態で、脚フレーム９１Ｂの先端及び脚フレーム９１Ｃの先端が前方を向くように配置される。詳細には、脚フレーム９１Ｂの先端は、前方と左方との間を向いている。脚フレーム９１Ｃの先端は、前方と右方との間を向いている。脚フレーム９１Ｃに隣接する脚フレーム９１Ｄの先端は、後方と右方との間を向いている。脚フレーム９１Ｄに隣接する脚フレーム９１Ｅの先端は、後方を向いている。脚フレーム９１Ａの先端は、後方と左方との間を向いている。
【００９５】
一方、利用者が、点滴スタンド３の支柱部９４を持って、点滴スタンド３を車椅子２の後方から、左右一対の後車輪２２，２２間において前方に移動させた際に、脚フレーム９１がガイドフレーム１５００に当接せずに、図２に二点波線で示すように、脚フレーム９１Ｂの先端及び脚フレーム９１Ｃの先端が前方を向くように配置されている場合には、点滴スタンド３をそのまま前方に移動させれば、連結位置に配置される。
【００９６】
一方、点滴スタンド３を車椅子２から取り外す際には、看護師等の利用者が、後部クランプ金具１４２０の操作壁部１４２１Ｓを上方に引き上げて、点滴スタンドクランプ１４００の支柱部９４を、前部クランプ金具１４１０と後部クランプ金具１４２０との間から取り出すことができる。
このようにして、アタッチメント１０００の点滴スタンドクランプ１４００は、支柱部９４に対して着脱可能に取り付けられている。
【００９７】
次に、上記のように構成された医療設備システム１が床面上に設けられた進行方向前方の段差を乗り上げる際の動作について説明する。
【００９８】
図１０は、医療設備システム１の車椅子２が床段差を乗り上げる際において、点滴スタンドクランプ１４００の動作を示すための側面図である。
図１０に示すように、車椅子２が段差を乗り上げる際には、ハンドグリップ３３又はティッピングレバー３１の後部に下方向きの力を加える。これにより、車椅子２の前側が持ち上がり、前車輪２１が段差を乗り上げるとともに、ティッピングレバー３１は後方から前方に向かうにしたがって上方に向かうように（前上がりに）傾斜する。
【００９９】
ティッピングレバー３１が前上がりに傾斜すると、ティッピングレバー３１に連結されたアタッチメント１０００には前上がりに傾斜させる向きの力が作用する。これにより、アタッチメント１０００に保持された点滴スタンド３の支柱部６４には、前部クランプ金具１４１０の前部湾曲壁部１４１１から後向きの力が作用する。これにより、支柱部９４は空間部ＳＡ内において後方に移動する。点滴スタンドクランプ１４００は、支柱部９４に対して相対的に元の位置（図１０に示す実線）よりも後方且つ下方に移動する（図１０に示す二点鎖線）。このようにして、点滴スタンドクランプ１４００は、ティッピングレバー３１と支柱部９４との前後方向の傾斜角度を異ならせながら、支柱部９４を保持している。
【０１００】
前車輪２１が段差を乗り上げ、後車輪２２及び点滴スタンド３が段差を乗り上げようとする際には、ティッピングレバー３１は後方が上方に上がる。この際に、アタッチメント１０００に保持された点滴スタンド３の支柱部６４は、空間部ＳＡ内において前方に移動して（図１０に示す実線）、後車輪２２及び点滴スタンド３が段差を乗り上げる。
【０１０１】
なお、床面上に設けられた段差の高さが高い場合には、車椅子２が段差を乗り上げる際には、点滴スタンド３の支柱部６４は、その前面が前部クランプ金具１４１０の前部湾曲壁部１４１１の後面１４１１Ｂの上部に当接しつつ、その後面が後部クランプ金具１４２０の後部支持壁部１４２１の下部に当接するように大きく傾斜する。後部クランプ金具１４２０には、当接している支柱部９４から上方向きの力（後部クランプ金具１４２０を持ち上げようとする力）が作用する。これにより、後部クランプ金具１４２０が回動して持ち上がり、支柱部９４が空間部ＳＡよりもさらに後方に移動することもできる。なお、後部クランプ金具１４２０の回動範囲が規制されているため、支柱部９４が後部クランプ金具１４２０から完全に抜け出ることはない。
【０１０２】
また、略水平に形成された床面から上り坂を上り出す際にも、点滴スタンドクランプ１４００は、上記に記載の段差を車椅子２の前車輪２１が乗り上げる際と同様の動きをする。
【０１０３】
一方、車椅子２が段差を降りる際には、上記とは逆に、ティッピングレバー３１が前下がりに傾斜し、アタッチメント１０００には前下がりに傾斜させる向きの力が作用する。
【０１０４】
このように構成された医療設備システム１では、車椅子２の後部に輸液パックＵを支持可能な支柱部９４を有する点滴スタンド３を連結することができる。
また、支柱部９４の前部を支持する前部湾曲壁部１４１１及び支柱部９４の後部を支持する後部支持壁部１４２１は、支柱部９４を前後方向に相対移動可能に保持する。よって、点滴スタンド３よりも前方に配置された車椅子２が、段差を乗り越えたり、乗り下りたり、坂道を上り出したり、下り出したりする際には、点滴スタンドクランプ１４００が車椅子２と点滴スタンド３との前後方向の傾斜角度を異ならせる。したがって、車椅子２及び点滴スタンド３がそれぞれ接している地面の傾斜角度に対応して傾斜角度で傾斜しつつ前進することができるため、車椅子２の走行時の安定性を確保することができる。
また、点滴スタンドクランプ１４００と支柱部９４とは単独に動くことができるため、車椅子２と点滴スタンド３とを連結するアタッチメント１０００への負荷を低減することができる。
【０１０５】
前部湾曲壁部１４１１及び後部支持壁部１４２１の少なくとも一方と支柱部９４との間には、前後方向の空間部ＳＢが形成されている。よって、点滴スタンド３の支柱部９４が空間部を前後方向に自由に移動することができるため、点滴スタンド３の支柱部９４を、点滴スタンドクランプ１４００に対して、大きな力を加えることなく確実に動かすことができる。
【０１０６】
また、後部支持壁部１４２１は、前部湾曲壁部１４１１に対して前後方向を向く軸線Ｘ回りに回動可能に連結されている。よって、後部支持壁部１４２１を軸線Ｘ回りに回動させて、後部支持壁部１４２１を前部湾曲壁部１４１１から離間させて、前部湾曲壁部１４１１と後部支持壁部１４２１との間に点滴スタンド３の支柱部９４を配置することができる。その後、後部支持壁部１４２１を軸線Ｘ回りに上記とは反対方向に回動させて、後部支持壁部１４２１を前部湾曲壁部１４１１に近接させて、前部湾曲壁部１４１１及び後部支持壁部１４２１で点滴スタンド３の支柱部９４を保持させることができる。よって、前部湾曲壁部１４１１及び後部支持壁部１４２１による点滴スタンド３の支柱部９４の保持を容易に行うことができる。
【０１０７】
また、付勢部１４４０は、後部支持壁部１４２１を前部湾曲壁部１４１１に近接させる方向に向かって付勢するため、前部湾曲壁部１４１１及び後部支持壁部１４２１で点滴スタンド３の支柱部９４を保持する状態を維持することができる。
【０１０８】
また、前部湾曲壁部１４１１と後部支持壁部１４２１との間に点滴スタンド３の支柱部９４を配置した後、後部支持壁部１４２１に回動させる力を加えなくても、付勢部１４４０の付勢力により、後部支持壁部１４２１は前部湾曲壁部１４１１に近接する位置に戻すとこができる。
【０１０９】
また、点滴スタンド３の支柱部９４は、車椅子２の背面シート３２Ａの後面と幅方向に離間した一対のグリップ部３３Ａ，３３Ａとにより囲まれた後部空間Ｓ１内に配置されている。これにより、車椅子２のグリップ部３３Ａの後方における点滴スタンド３の配置されていない作業空間（図２参照）Ｓ２を大きく確保することができるため、看護師等は当該作業空間Ｓ２から車椅子２を操作することができる。よって、車椅子２の操作性を良好とすることができる。
【０１１０】
また、アタッチメント１０００は、車椅子２のグリップ部３３Ａの下方に配置されたティッピングレバー３１及び起立フレーム部３２の下部に取り付けられている。よって、グリップ部３３Ａの近傍にはアタッチメント１０００が取り付けられないため、グリップ部３３Ａを把持して車椅子２を操作する際にアタッチメント１０００が支障になることがない。
【０１１１】
また、点滴スタンドクランプ１４００の後部クランプ金具１４２０を回動させれば、アタッチメント１０００を点滴スタンド３から取り外すことができる。よって、車椅子２と点滴スタンド３とが連結された形態及び点滴スタンド３とは連結されずに車椅子２単体の形態の両形態をとることができる。
【０１１２】
また、連結パイプ１３００を回動させると、第二パイプ部１３３０は左側の後車輪２２に沿うように配置される。よって、点滴スタンド３がアタッチメント１０００から取り外された形態において、アタッチメント１０００が左側の後車輪２２に沿って配置されるため、左右の後車輪２２，２２の間においてアタッチメント１０００が邪魔にならない。
【０１１３】
また、車椅子２の支柱部９４が後部空間Ｓ１内に配置されるように、点滴スタンド３はアタッチメント１０００のガイドフレーム１５００に案内される。よって、点滴スタンド３を連結位置に確実かつ容易に配置して、支柱部９４を後部空間Ｓ１内に配置することができる。
【０１１４】
また、後鉛直ガイド部１５２０に点滴スタンド３の脚フレーム９１を当接させて、点滴スタンド３を回動させることにより、点滴スタンド３は連結位置に配置される。よって、点滴スタンド３を連結位置に容易に配置することができる。
【０１１５】
なお、上述した実施の形態において示した各構成部材の諸形状や組み合わせ等は一例であって、本発明の主旨から逸脱しない範囲において設計要求等に基づき種々変更可能である。
【０１１６】
例えば、図１１に示すように、後部支持壁部１４２１の前面１４２１Ｆには、弾性変形可能な弾性体１４２６が設けられていてもよい。弾性体１４２６は、例えば合成ゴム等の材料により形成されている。
これにより、点滴スタンドクランプ１４００と点滴スタンド３の支柱部９４との前後方向の相対移動の際の衝撃を、後部支持壁部１４２１の前面１４２１Ｆに設けられた弾性体１４２６が吸収することができる。
【０１１７】
また、本実施形態では、前部湾曲壁部１４１１及び後部支持壁部１４２１は、支柱部９４を前後方向に相対移動可能に保持しているが、本発明はこれに限られない。前部湾曲壁部１４１１及び後部支持壁部１４２１が、支柱部９４を前後方向に加えて左右方向等にも相対移動可能に保持していてもよい。
【０１１８】
また、変形例では、後部支持壁部１４２１の前面１４２１Ｆには弾性体１４２６が設けられているが、本発明はこれに限られない。例えば、前部湾曲壁部１４１１の後面１４１１Ｂに弾性体が設けられていてもよい。
【０１１９】
また、上記に示す実施形態では、後部支持壁部１４２１は前後方向を向く軸線Ｘ回りに回動可能とされているが、上下方向を向く軸線回りに回動可能に前部湾曲壁部１４１１に連結されていてもよい。
【０１２０】
また、上記に示す実施形態においては、アタッチメント１０００は車椅子２の左側に取り付けられているが、車椅子２の右側に取り付けられていてもよい。
【０１２１】
また、上記に示す実施形態においては、機器の一例として点滴スタンド３を例に挙げて説明したが、本発明はこれに限られない。例えば、機器として酸素ボンベや尿パック等が載置された什器を採用することもできる。
【０１２２】
また、上記に示す実施形態においては、連結パイプ１３００は、前後方向を向く軸部１１１０Ｊを中心に回動可能とされているが、本発明はこれに限られない。連結パイプは、上下方向を向く軸部を中心に、車椅子側取付部の取り付けられた左側本体又は右側本体に沿う位置まで回動可能とされていてもよい。
【符号の説明】
【０１２３】
１…医療設備システム
２…車椅子
３…点滴スタンド（機器）
２１…前車輪（車輪）
２２…後車輪（車輪）
３３Ａ…グリップ部（把持部）
３１…ティッピングレバー（左側本体、右側本体）
３２…起立フレーム部（左側本体、右側本体）
３２Ａ…背面シート（着座部）
３４…座フレーム部（左側本体、右側本体）
３４Ａ…座シート（着座部）
３５…脚フレーム部（左側本体、右側本体）
３６…延出フレーム部（左側本体、右側本体）
３７…アームレスト（左側本体、右側本体）
３８…前フレーム部（左側本体、右側本体）
９０…脚ブロック
９１…脚フレーム
９４…支柱部
１０００…アタッチメント（車椅子用アタッチメント）
１４００…点滴スタンドクランプ（保持手段）
１４１０…前部クランプ金具
１４１１…前部湾曲壁部（前部保持部）
１４２０…後部クランプ金具
１４２１…後部支持壁部（後部保持部）
１４２６…弾性体
１４３０…軸部
１４４０…付勢部
１５００…ガイドフレーム
１５２０…後鉛直ガイド部
Ｓ１…後部空間
Ｕ…輸液パック（物品）
【図１】
0006443974.tif 000002
【図２】
0006443974.tif 000003
【図３】
0006443974.tif 000004
【図４】
0006443974.tif 000005
【図５】
0006443974.tif 000006
【図６】
0006443974.tif 000007
【図７】
0006443974.tif 000008
【図８】
0006443974.tif 000009
【図９】
0006443974.tif 000010
【図１０】
0006443974.tif 000011
【図１１】
0006443974.tif 000012